(57)【要約】【課題】  携帯が可能で、脈拍数が４拍で１呼吸を行なえるように、呼吸ペースを簡便・容易に調整できる、呼吸ペース調整補助装置の提供。【解決手段】  本発明の呼吸ペース調整補助装置は、運動中などの動悸、息切れ、過呼吸などの状況において、呼吸（呼吸ペース；呼吸数）を調整することが必要となるが、これまでに呼吸（呼吸ペース；呼吸数）を調整するための補助装置は提案されていないという問題を鑑みてなされたもので、脈拍（心拍）検出部、表示部を備え、表示部に表示された画像，光および／または音声により脈拍（心拍）数が４拍で１呼吸を行なえるように、呼吸ペースを調整するようにしたことを特徴とするものである。【選択図】図１
2008011949.tif 000002
【特許請求の範囲】
【請求項１】
脈拍検出部、表示部を備え、表示部に表示された画像，光及び／または音声により脈拍数が４拍で１呼吸を行なえるように呼吸ペースを調整するようにしたことを特徴とする呼吸ペース調整補助装置。
【発明の詳細な説明】
【技術分野】
【０００１】
本発明は、脈拍（心拍）数を検出し、脈拍（心拍）4拍毎に１呼吸できるように呼吸ペースを整えるための呼吸ペース調整補助装置に関する。
【背景技術】
【０００２】
呼吸を検出し、４心拍数に対して１呼吸として、心拍数の整数倍でマッサージを行なう装置が提案されている（特許文献１：特開２００３−２２５２７２号公報）。  通常は、４心拍数に対して１呼吸のペースで呼吸を行なうように生体で調節機能が働くが、運動中などで動悸、息切れ、過呼吸などを起こすことがある 。このような状況において、呼吸（呼吸ペース；呼吸数）を調整することが必要となるが、これまでに呼吸（呼吸ペース；呼吸数）を調整するための補助装置は提案されていない。
【特許文献１】特開２００３−２２５２７２号広報
【発明の開示】
【発明が解決しようとする課題】
【０００３】
本発明は、このような問題に鑑みてなされたもので、携帯可能で脈拍数が４拍で１呼吸を行なえるように呼吸ペースを簡便・容易に調整できる呼吸ペース調整補助装置を提供することを目的とする。
【課題を解決するための手段】
【０００４】
上記目的を達成するために、本発明の呼吸ペース調整補助装置は、脈拍（心拍）検出部、表示部を備え、表示部に表示された画像，光及び／または音声により脈拍（心拍）数が４拍で１呼吸を行なえるように呼吸ペースを調整するようにしたことを特徴とするものである。
【発明の効果】
【０００５】
本発明によれば、使用者が脈拍数が４拍で１呼吸を簡便・容易に呼吸ペースを調整できる。
【発明を実施するための最良の形態】
【０００６】
以下、本発明の実施の形態を詳細に説明するが、本発明は実施例に限定されるものでなく、適宜変更が可能である。
【０００７】
図１は、本発明の実施例の外観図及びブロック図である。図において、１は腕時計方式の呼吸ペース調整補助装置、１０は液晶（カラー液晶）などの表示部、１０ａは時刻，脈拍（心拍）等の表示部、１１は機能スイッチ、１１ａは測定開始／終了スイッチ、１２はクロック、１３は脈拍センサ、１４は記憶部、１５はＣＰＵ（制御部）、１６は電池、１７はＲＡＭ、１８はＲＯＭ、１９は外部通信部である。なお、電波受信部を設けて電波時計とすることで、時刻調整の煩わしさがなくなる。
【０００８】
本実施例の腕時計方式の呼吸ペース調整補助装置１は、通常は腕時計としての機能を果たしているが呼吸ペース調整補助装置としての機能について以下に説明する。機能スイッチ１１を押すごとに表示部１０ａの７セグメントによる年表示、月表示、日表示、時間表示、分表示、脈拍数表示が順次点滅する。脈拍数（心拍数）表示が８８に点滅した状態で、測定開始／終了スイッチ１１ａを押すと呼吸ペース調整補助装置１の裏面に設けられた圧電素子等からなる脈拍センサ１３が脈拍を検出する。脈拍の検出は所定分（例えば５分程度）で自動的に終了する。ＲＡＭ１７，ＲＯＭ１８に記憶された条件、処理プログラムをＣＰＵ１５で読出し、検出された脈拍から脈拍数（心拍数）を演算し、記憶部１４に記憶する。記憶された脈拍数（心拍数）は表示部１０ａに表示される。
【０００９】
運動中、運動終了直後などで、息切れの状態のときは、図２（ａ）のように、１呼吸に対して４拍より大きい脈拍数（心拍数）となる（図２（ａ）の例では１呼吸に対して6拍の脈拍数）。この状態で、４脈拍数（心拍数）に対して１呼吸となる呼吸ができるように表示部１２に動画や光などで表示したり、音などを発生させる（図２（ｂ）参照）。時間の経過とともに、脈拍数（心拍数）も徐々に少なくなるが、リアルタイムの４脈拍数（心拍数）に対して１呼吸となる呼吸ができるように表示部１２に動画や光などで表示したり、音などを発生させる（図２（ｃ）参照）。
【図面の簡単な説明】
【００１０】
【図１】本発明の実施例の外観図及びブロック図である。
【図２】脈拍と呼吸の相関を示す図である。
【符号の説明】
【００１１】
１  呼吸ペース調整補助装置、１０  表示部、１１ａ  機能スイッチ、１２  クロック、１３  脈拍センサ
【図１】
2008011949.tif 000003
【図２】
2008011949.tif 000004
【手続補正書】
【提出日】平成19年6月20日(2007.6.20)
【手続補正１】
【補正対象書類名】特許請求の範囲
【補正対象項目名】請求項１
【補正方法】変更
【補正の内容】
【請求項１】
脈拍検出部、表示部を備え、前記表示部に表示された画像，光及び／または音声により脈拍数が所定数で１呼吸を行なえるように呼吸ペースを調整するようにしたことを特徴とする呼吸ペース調整補助装置。
【手続補正２】
【補正対象書類名】明細書
【補正対象項目名】０００１
【補正方法】変更
【補正の内容】
【０００１】
本発明は、脈拍（心拍）数を検出し、脈拍（心拍）数が所定数毎に１呼吸できるように呼吸ペースを整えるための呼吸ペース調整補助装置に関する。
【手続補正３】
【補正対象書類名】明細書
【補正対象項目名】０００２
【補正方法】変更
【補正の内容】
【０００２】
呼吸を検出し、８心拍数に対して１呼吸として、心拍数の整数倍でマッサージを行なう装置が提案されている（特許文献１：特開２００３−２２５２７２号公報）。通常は、８心拍数に対して１呼吸のペースで呼吸を行なうように生体で調節機能が働くが、運動中などで動悸、息切れ、過呼吸などを起こすことがある 。このような状況において、呼吸（呼吸ペース；呼吸数）を調整することが必要となるが、これまでに呼吸（呼吸ペース；呼吸数）を調整するための補助装置は提案されていない。
【特許文献１】特開２００３−２２５２７２号公報
【手続補正４】
【補正対象書類名】明細書
【補正対象項目名】０００３
【補正方法】変更
【補正の内容】
【０００３】
本発明は、このような問題に鑑みてなされたもので、携帯可能で脈拍数が所定数、特に８拍で１呼吸を行なえるように呼吸ペースを簡便・容易に調整できる呼吸ペース調整補助装置を提供することを目的とする。
【手続補正５】
【補正対象書類名】明細書
【補正対象項目名】０００４
【補正方法】変更
【補正の内容】
【０００４】
上記目的を達成するために、本発明の呼吸ペース調整補助装置は、脈拍（心拍）検出部、表示部を備え、表示部に表示された画像，光及び／または音声により脈拍（心拍）数が所定数で１呼吸を行なえるように呼吸ペースを調整するようにしたことを特徴とするものである。脈拍（心拍）数が所定数は８拍であることを特徴とする。
【手続補正６】
【補正対象書類名】明細書
【補正対象項目名】０００５
【補正方法】変更
【補正の内容】
【０００５】
本発明によれば、使用者が脈拍数が所定数、特に８拍で１呼吸を簡便・容易に呼吸ペースを調整できる。
【手続補正７】
【補正対象書類名】明細書
【補正対象項目名】０００９
【補正方法】変更
【補正の内容】
【０００９】
運動中、運動終了直後などで、息切れの状態のときは、図２（ａ）のように、１呼吸に対して８拍より大きい脈拍数（心拍数）となる（図２（ａ）の例では１呼吸に対して6拍の脈拍数）。この状態で、所定脈拍数、８脈拍数（心拍数）に対して１呼吸となる呼吸ができるように表示部１２に動画や光などで表示したり、音などを発生させる（図２（ｂ）参照）。時間の経過とともに、脈拍数（心拍数）も徐々に少なくなるが、リアルタイムの、所定脈拍数、８脈拍数（心拍数）に対して１呼吸となる呼吸ができるように表示部１２に動画や光などで表示したり、音などを発生させる（図２（ｃ）参照）。
能になっている。
【手続補正８】
【補正対象書類名】図面
【補正対象項目名】図２
【補正方法】変更
【補正の内容】
【図２】
2008011949.tif 000005